(57)【特許請求の範囲】
【請求項１】
ユーザにより予め設定済みの通報設定情報に基づいて自動通報を行う自動通報装置であって、
自動通報の通報設定情報を記憶する自動通報設定記憶手段と、
次に自動通報する番組である次回通報番組を記憶する次回自動通報番組記憶手段と、
取得したユーザからの通報設定情報が、自動通報の新規設定であるか、又は設定済みの通報設定情報を利用した設定であるかを判断する通報処理制御手段と、を備え、
前記通報処理制御手段は、
記憶された通報設定情報による自動通報を休止するか否かを示す休止フラグを前記設定済みの通報設定情報に付加して前記自動通報設定記憶手段に記憶させる通報休止設定手段を有する通報設定利用手段と、を備え、
前記通報処理制御手段は、
前記設定済みの通報設定情報を利用して休止設定／解除が設定されると、休止設定であるか休止設定の解除であるかを判断し、休止設定であると判断した場合、前記次回自動通報番組記憶手段に記憶された次回通報番組と休止が設定された番組が一致しているか否かを比較し、次回通報番組と休止が設定された番組が一致している場合は、前記自動通報設定記憶手段を参照して、休止することを示す休止フラグが付加されていない番組の中で、前記次回自動通報番組記憶手段に記憶された番組の次に通報開始時刻の早い番組を検索し、検索した番組を前記次回自動通報番組記憶手段に記憶する
ことを特徴とする自動通報装置。
【請求項２】
ユーザにより予め設定済みの通報設定情報に基づいて自動通報を行う自動通報装置であって、
自動通報の通報設定情報を記憶する自動通報設定記憶手段と、
次に自動通報する番組である次回通報番組を記憶する次回自動通報番組記憶手段と、
取得したユーザからの通報設定情報が、自動通報の新規設定であるか、又は設定済みの通報設定情報を利用した設定であるかを判断する通報処理制御手段と、を備え、
前記通報処理制御手段は、
予め前記自動通報設定記憶手段に記憶された番組の通報期間内で、特定の期間や一部の期間を休止期間として自動通報を休止するか否かを示す休止期間情報を前記設定済みの通報設定情報に付加して前記自動通報設定記憶手段に記憶させる休止期間設定手段を有する通報設定利用手段と、を備え、
前記通報処理制御手段は、
前記設定済みの通報設定情報を利用して休止期間設定／解除が設定されると、休止期間が有効設定されたのか休止期間設定が解除されたのかを判断し、休止期間が設定されたと判断した場合、次回通報番組と休止期間が設定された番組が一致しているか否かを比較し、次回通報番組と休止期間が設定された番組が一致している場合は、前記自動通報設定記憶手段を参照して、休止期間情報により休止期間が設定されているときはその設定された休止期間を除く通報期間の内、前記次回自動通報番組記憶手段に記憶された番組の次に通報開始時刻の早い番組を検索し、検索した番組を前記次回自動通報番組記憶手段に記憶する
ことを特徴とする自動通報装置。
【請求項３】
前記通報処理制御手段は、
自動通報の新規設定がされると、前記次回自動通報番組記憶手段に記憶された次回通報番組の通報開始時刻と自動通報の新規設定がされた番組の通報開始時刻の比較を行い、自動通報の新規設定がされた番組の通報開始時刻が前記次回自動通報番組記憶手段に記憶された番組の通報開始時刻よりも早い場合、自動通報の新規設定がされた番組を前記次回自動通報番組記憶手段に記憶する
ことを特徴とする請求項１又は２に記載の自動通報装置。
【請求項４】
前記通報処理制御手段は、記憶された通報設定情報に基づく自動通報を即座に行う即時通報手段を備えることを特徴とする、請求項１〜３のいずれか１項に記載の自動通報装置。
【請求項５】
ユーザにより予め設定済みの通報設定情報に基づいて自動通報を行う自動通報装置と、無線により通報内容を子局に送信する基地局とを備えた無線システムであって、
前記自動通報装置は、
自動通報の通報設定情報を記憶する自動通報設定記憶手段と、
次に自動通報する番組である次回通報番組を記憶する次回自動通報番組記憶手段と、
取得したユーザからの通報設定情報が、自動通報の新規設定であるか、又は設定済みの通報設定情報を利用した設定であるかを判断する通報処理制御手段と、を備え、
前記通報処理制御手段は、
記憶された通報設定情報による自動通報を休止するか否かを示す休止フラグを前記設定済みの通報設定情報に付加して前記自動通報設定記憶手段に記憶させる通報休止設定手段を有する通報設定利用手段と、を備え、
前記通報処理制御手段は、
前記設定済みの通報設定情報を利用して休止設定／解除が設定されると、休止設定であるか休止設定の解除であるかを判断し、休止設定であると判断した場合、前記次回自動通報番組記憶手段に記憶された次回通報番組と休止が設定された番組が一致しているか否かを比較し、次回通報番組と休止が設定された番組が一致している場合は、前記自動通報設定記憶手段を参照して、休止することを示す休止フラグが付加されていない番組の中で、前記次回自動通報番組記憶手段に記憶された番組の次に通報開始時刻の早い番組を検索し、検索した番組を前記次回自動通報番組記憶手段に記憶する
ことを特徴とする無線システム。
【請求項６】
ユーザにより予め設定済みの通報設定情報に基づいて自動通報を行う自動通報装置と、無線により通報内容を子局に送信する基地局とを備えた無線システムであって、
前記自動通報装置は、
自動通報の通報設定情報を記憶する自動通報設定記憶手段と、
次に自動通報する番組である次回通報番組を記憶する次回自動通報番組記憶手段と、
取得したユーザからの通報設定情報が、自動通報の新規設定であるか、又は設定済みの通報設定情報を利用した設定であるかを判断する通報処理制御手段と、を備え、
前記通報処理制御手段は、
予め前記自動通報設定記憶手段に記憶された番組の通報期間内で、特定の期間や一部の期間を休止期間として自動通報を休止するか否かを示す休止期間情報を前記設定済みの通報設定情報に付加して前記自動通報設定記憶手段に記憶させる休止期間設定手段を有する通報設定利用手段と、を備え、
前記通報処理制御手段は、
前記設定済みの通報設定情報を利用して休止期間設定／解除が設定されると、休止期間が有効設定されたのか休止期間設定が解除されたのかを判断し、休止期間が設定されたと判断した場合、次回通報番組と休止期間が設定された番組が一致しているか否かを比較し、次回通報番組と休止期間が設定された番組が一致している場合は、前記自動通報設定記憶手段を参照して、休止期間情報により休止期間が設定されているときはその設定された休止期間を除く通報期間の内、前記次回自動通報番組記憶手段に記憶された番組の次に通報開始時刻の早い番組を検索し、検索した番組を前記次回自動通報番組記憶手段に記憶する
ことを特徴とする無線システム。
【請求項７】
前記通報処理制御手段は、
自動通報の新規設定がされると、前記次回自動通報番組記憶手段に記憶された次回通報番組の通報開始時刻と自動通報の新規設定がされた番組の通報開始時刻の比較を行い、自動通報の新規設定がされた番組の通報開始時刻が前記次回自動通報番組記憶手段に記憶された番組の通報開始時刻よりも早い場合、自動通報の新規設定がされた番組を前記次回自動通報番組記憶手段に記憶する
ことを特徴とする請求項５又は６に記載の無線システム。
【請求項８】
前記通報処理制御手段は、記憶された通報設定情報に基づく自動通報を即座に行う即時通報手段を備えることを特徴とする、請求項５〜７のいずれか１項に記載の無線システム。
【発明の詳細な説明】
【技術分野】
【０００１】
本発明は、自動通報装置に係り、特に、既に自動通報の設定を行った番組について、同じ内容の番組であれば改めて最初から自動通報の設定を行うことなく、その番組の通報設定情報を利用してユーザが簡単に自動通報の設定を行える自動通報装置、及び、無線システムに関する。
【背景技術】
【０００２】
従来、自動通報システムは、自動通報する通報条件と通報内容と通報先等を予め設定しておき、設定した通報条件に一致したときに、自動的に通報先へ通報内容を通報するものである。
【０００３】
例えば、市町村防災行政無線システムでは、予め住民が無線等により子局から親局を呼び出して、親局から子局へ自動通報する通報日時や通報内容を登録することで、登録された通報日時になったときに登録された通報内容が親局から子局へ送信され、子局のスピーカ等により通報内容が出力されることが知られている（特許文献１参照）。
【先行技術文献】
【特許文献】
【０００４】
【特許文献１】特開２００３−１７４４２３号公報
【発明の概要】
【発明が解決しようとする課題】
【０００５】
しかしながら、特許文献１の技術では、自動通報するものとして設定した通報期間等を変更する場合、例えば通報期間の内、特定の１日のみ自動通報を解除したいときや、設定した通報期間外にその通報を希望するとき等において、改めて最初から自動通報の登録を行う必要がある。
【０００６】
例えば、ある月の１日から３０日までの通報期間内で通報開始時刻１７時５９分００秒が来ると自動通報されるように予め設定された番組において、１０日と２０日だけ自動通報しないように設定するためには、上記特許文献１の技術では、その番組の通報期間を１日から９日までと、１１日から１９日までと、２１日から３０日までとした３つの自動通報の設定を新たに行わなければならず、大変煩雑である。
【０００７】
本発明は上記課題に鑑みてなされたものであり、既に自動通報の設定を行った番組について、同じ内容の番組であれば改めて最初から自動通報の設定を行うことなく、その番組の通報設定情報を利用してユーザが簡単に自動通報の設定を行える自動通報装置、及び、無線システムを提供することを目的とする。
【課題を解決するための手段】
【０００８】
本発明の自動通報装置は、ユーザにより予め設定済みの通報設定情報に基づいて自動通報を行う自動通報装置であって、自動通報の通報設定情報を記憶する自動通報設定記憶手段と、次に自動通報する番組である次回通報番組を記憶する次回自動通報番組記憶手段と、取得したユーザからの通報設定情報が、自動通報の新規設定であるか、又は設定済みの通報設定情報を利用した設定であるかを判断する通報処理制御手段と、を備え、前記通報処理制御手段は、記憶された通報設定情報による自動通報を休止するか否かを示す休止フラグを前記設定済みの通報設定情報に付加して前記自動通報設定記憶手段に記憶させる通報休止設定手段を有する通報設定利用手段と、を備え、前記通報処理制御手段は、前記設定済みの通報設定情報を利用して休止設定／解除が設定されると、休止設定であるか休止設定の解除であるかを判断し、休止設定であると判断した場合、前記次回自動通報番組記憶手段に記憶された次回通報番組と休止が設定された番組が一致しているか否かを比較し、次回通報番組と休止が設定された番組が一致している場合は、前記自動通報設定記憶手段を参照して、休止することを示す休止フラグが付加されていない番組の中で、前記次回自動通報番組記憶手段に記憶された番組の次に通報開始時刻の早い番組を検索し、検索した番組を前記次回自動通報番組記憶手段に記憶することを特徴とする。
また、本発明の自動通報装置は、ユーザにより予め設定済みの通報設定情報に基づいて自動通報を行う自動通報装置であって、自動通報の通報設定情報を記憶する自動通報設定記憶手段と、次に自動通報する番組である次回通報番組を記憶する次回自動通報番組記憶手段と、取得したユーザからの通報設定情報が、自動通報の新規設定であるか、又は設定済みの通報設定情報を利用した設定であるかを判断する通報処理制御手段と、を備え、前記通報処理制御手段は、予め前記自動通報設定記憶手段に記憶された番組の通報期間内で、特定の期間や一部の期間を休止期間として自動通報を休止するか否かを示す休止期間情報を前記設定済みの通報設定情報に付加して前記自動通報設定記憶手段に記憶させる休止期間設定手段を有する通報設定利用手段と、を備え、前記通報処理制御手段は、前記設定済みの通報設定情報を利用して休止期間設定／解除が設定されると、休止期間が有効設定されたのか休止期間設定が解除されたのかを判断し、休止期間が設定されたと判断した場合、次回通報番組と休止期間が設定された番組が一致しているか否かを比較し、次回通報番組と休止期間が設定された番組が一致している場合は、前記自動通報設定記憶手段を参照して、休止期間情報により休止期間が設定されているときはその設定された休止期間を除く通報期間の内、前記次回自動通報番組記憶手段に記憶された番組の次に通報開始時刻の早い番組を検索し、検索した番組を前記次回自動通報番組記憶手段に記憶することを特徴とする。
また、前記通報処理制御手段は、自動通報の新規設定がされると、前記次回自動通報番組記憶手段に記憶された次回通報番組の通報開始時刻と自動通報の新規設定がされた番組の通報開始時刻の比較を行い、自動通報の新規設定がされた番組の通報開始時刻が前記次回自動通報番組記憶手段に記憶された番組の通報開始時刻よりも早い場合、自動通報の新規設定がされた番組を前記次回自動通報番組記憶手段に記憶してもよい。
また、前記通報処理制御手段は、記憶された通報設定情報に基づく自動通報を即座に行う即時通報手段を備えてもよい。
また、本発明の無線システムは、ユーザにより予め設定済みの通報設定情報に基づいて自動通報を行う自動通報装置と、無線により通報内容を子局に送信する基地局とを備えた無線システムであって、前記自動通報装置は、自動通報の通報設定情報を記憶する自動通報設定記憶手段と、次に自動通報する番組である次回通報番組を記憶する次回自動通報番組記憶手段と、取得したユーザからの通報設定情報が、自動通報の新規設定であるか、又は設定済みの通報設定情報を利用した設定であるかを判断する通報処理制御手段と、を備え、前記通報処理制御手段は、記憶された通報設定情報による自動通報を休止するか否かを示す休止フラグを前記設定済みの通報設定情報に付加して前記自動通報設定記憶手段に記憶させる通報休止設定手段を有する通報設定利用手段と、を備え、前記通報処理制御手段は、前記設定済みの通報設定情報を利用して休止設定／解除が設定されると、休止設定であるか休止設定の解除であるかを判断し、休止設定であると判断した場合、前記次回自動通報番組記憶手段に記憶された次回通報番組と休止が設定された番組が一致しているか否かを比較し、次回通報番組と休止が設定された番組が一致している場合は、前記自動通報設定記憶手段を参照して、休止することを示す休止フラグが付加されていない番組の中で、前記次回自動通報番組記憶手段に記憶された番組の次に通報開始時刻の早い番組を検索し、検索した番組を前記次回自動通報番組記憶手段に記憶することを特徴とする。
また、本発明の無線システムは、ユーザにより予め設定済みの通報設定情報に基づいて自動通報を行う自動通報装置と、無線により通報内容を子局に送信する基地局とを備えた無線システムであって、前記自動通報装置は、自動通報の通報設定情報を記憶する自動通報設定記憶手段と、次に自動通報する番組である次回通報番組を記憶する次回自動通報番組記憶手段と、取得したユーザからの通報設定情報が、自動通報の新規設定であるか、又は設定済みの通報設定情報を利用した設定であるかを判断する通報処理制御手段と、を備え、前記通報処理制御手段は、予め前記自動通報設定記憶手段に記憶された番組の通報期間内で、特定の期間や一部の期間を休止期間として自動通報を休止するか否かを示す休止期間情報を前記設定済みの通報設定情報に付加して前記自動通報設定記憶手段に記憶させる休止期間設定手段を有する通報設定利用手段と、を備え、前記通報処理制御手段は、前記設定済みの通報設定情報を利用して休止期間設定／解除が設定されると、休止期間が有効設定されたのか休止期間設定が解除されたのかを判断し、休止期間が設定されたと判断した場合、次回通報番組と休止期間が設定された番組が一致しているか否かを比較し、次回通報番組と休止期間が設定された番組が一致している場合は、前記自動通報設定記憶手段を参照して、休止期間情報により休止期間が設定されているときはその設定された休止期間を除く通報期間の内、前記次回自動通報番組記憶手段に記憶された番組の次に通報開始時刻の早い番組を検索し、検索した番組を前記次回自動通報番組記憶手段に記憶することを特徴とする。
また、前記通報処理制御手段は、自動通報の新規設定がされると、前記次回自動通報番組記憶手段に記憶された次回通報番組の通報開始時刻と自動通報の新規設定がされた番組の通報開始時刻の比較を行い、自動通報の新規設定がされた番組の通報開始時刻が前記次回自動通報番組記憶手段に記憶された番組の通報開始時刻よりも早い場合、自動通報の新規設定がされた番組を前記次回自動通報番組記憶手段に記憶してもよい。
また、前記通報処理制御手段は、記憶された通報設定情報に基づく自動通報を即座に行う即時通報手段を備えてもよい。
【発明の効果】
【０００９】
本発明によれば、既に自動通報の設定を行った番組について、同じ内容の番組であれば改めて最初から自動通報の設定を行うことなく、その番組の通報設定情報を利用してユーザが簡単に自動通報の設定を行える。
【図面の簡単な説明】
【００１０】
【図１】本発明の実施形態に係る自動通報システムの構成を示す図である。
【図２】本発明の実施形態に係る自動通報装置の構成を示す機能ブロック図である。
【図３】本発明の実施形態に係る自動通報装置の処理の流れを示すフローチャートである。
【図４】本発明の実施形態に係る自動通報装置の処理における休止設定（休止期間設定）／解除の流れを示すフローチャートである。
【図５】本発明の実施形態に係る自動通報装置の設定済みの通報設定情報を利用して休止期間等を設定する画面例である。
【図６】本発明の実施形態に係る自動通報装置の休止期間を設定する画面例である。
【図７】本発明の実施形態に係る自動通報装置の休止期間を作成する画面例である。
【発明を実施するための形態】
【００１１】
以下、図を参照して本発明の実施形態を詳細に説明する。
【００１２】
まず、図１を参照して、本実施形態に係る自動通報システムの構成例を説明する。本実施形態の自動通報システムは、親局操作卓１とデジタル基地局２とアナログ基地局３とデジタル屋外子局４と拡声スピーカ／ハンドセット５とデジタル戸別受信機６と文字表示装置７とアナログ屋外子局／戸別受信機８とを備えている。なお、デジタル屋外子局４と拡声スピーカ／ハンドセット５とデジタル戸別受信機６と文字表示装置７とアナログ屋外子局／戸別受信機８は、複数存在してもよい。
【００１３】
親局操作卓１とデジタル基地局２とは音声４Ｗ（４線式）とＲＳ−２３２Ｃ等で繋がっており、親局操作卓１とアナログ基地局３とは音声２Ｗ（２線式）等で繋がっている。親局操作卓１には、自動通報する番組に関する通報期間や通報内容等の通報設定情報がユーザにより登録されており、登録された通報時刻になったときに通報内容をデジタル基地局２及び／又はアナログ基地局３へ出力する。
【００１４】
親局操作卓１から通報内容を取得したデジタル基地局２は、無線によりデジタル屋外子局４とデジタル戸別受信機６に通報内容を送信する。デジタル屋外子局４は、受信した通報内容を拡声スピーカ／ハンドセット５で音声通報する。デジタル戸別受信機６は、受信した通報内容を音声通報するとともに文字表示装置７によって文字通報する。
【００１５】
また、親局操作卓１から通報内容を取得したアナログ基地局３は、無線によりアナログ屋外子局／戸別受信機８に通報内容を送信する。アナログ屋外子局／戸別受信機８は、受信した通報内容を音声通報する。
【００１６】
自動通報する番組に関する通報設定情報は、デジタル屋外子局４やデジタル戸別受信機６及びアナログ屋外子局／戸別受信機８等の各子局等でユーザにより入力され、無線によりデジタル基地局２又はアナログ基地局３を経て親局操作卓１に送信され、親局操作卓１に記憶される。なお、無線ではなく、ネットワーク等を介した遠隔操作により、ユーザは子局等から親局操作卓１へ通報設定情報を登録してもよい。また、ユーザが親局操作卓１を直接操作することにより通報設定情報を親局操作卓１に登録できるようにしてもよい。
【００１７】
このように、親局操作卓１には、予めユーザにより設定された自動通報する番組の通報設定情報が登録されており、登録された通報設定情報に従って、デジタル屋外子局４やデジタル戸別受信機６及びアナログ屋外子局／戸別受信機８等の各子局等へ番組が自動通報される。
【００１８】
次に、図２を参照して、具体的に、上記自動通報の設定及び制御を行う親局操作卓１が備える自動通報装置１０００について説明する。自動通報装置１０００は、通報設定情報取得部１０と、通報処理制御部１１と、自動通報設定記憶部１２と、次回自動通報番組記憶部１３とを備える。
【００１９】
通報設定情報取得部１０は、ユーザが各子局等で設定する通報設定情報を無線によりデジタル基地局２又はアナログ基地局３を介して取得し、取得した通報設定情報を通報処理制御部１１へ出力する。
【００２０】
自動通報設定記憶部１２は、ＲＡＭ（Random Access Memory）等からなり、自動通報の通報設定情報を記憶する。次回自動通報番組記憶部１３は、ＲＡＭやＨＤＤ（Hard Disk Drive）等からなり、次に自動通報する番組である次回通報番組を記憶する。
【００２１】
通報処理制御部１１は、通報設定情報取得部１０から取得した通報設定情報に基づいて自動通報処理の制御を行う。通報処理制御部１１は、ＣＰＵ（Central Processing Unit）等の演算処理装置であり、不図示のメモリに格納されたプログラムを読み出して実行することで、通報処理制御部１１の備える新規自動通報設定部１１０、自動通報処理部１２０及び通報設定利用部１３０の機能を実現する。
【００２２】
新規自動通報設定部１１０は、通報設定情報取得部１０を介して、ユーザが新規に自動通報の登録を希望する、自動通報する番組の通報期間、通報開始時刻、通報内容及び通報先等の通報設定情報を取得し、取得した通報設定情報を自動通報設定記憶部１２に記憶させる。
【００２３】
自動通報処理部１２０は、次回自動通報番組記憶部１３に記憶された番組の自動通報処理を行う。具体的には、自動通報処理部１２０は、次回自動通報番組記憶部１３に記憶された番組がその通報開始時刻に子局で通報されるように、その番組の通報開始時刻よりも早く（例えば、通報開始時刻より数十秒早く）処理を開始して、子局へ自動通報する回線の確保を行い、その通報開始時刻に合わせて次回自動通報番組記憶部１３に記憶された通報内容をデジタル基地局２やアナログ基地局３へ出力する。
【００２４】
通報設定利用部１３０は、本実施形態の特徴的な部分であり、ユーザによって自動通報の通報設定が既にされた番組について、同じ内容の番組であれば改めて自動通報の通報設定をすることなく、自動通報設定記憶部１２に記憶されたその番組の通報設定情報を利用して、ユーザが簡単に自動通報の設定を行えるようにするものである。通報設定利用部１３０は、休止設定／解除部１３１と休止期間設定部１３２と即時通報設定部１３３とを有しており、以下その各機能について具体的に説明する。
【００２５】
休止設定／解除部１３１は、予め自動通報設定記憶部１２に記憶された通報番組の通報期間に関係なく自動通報を休止するか又は休止した設定を解除するかを、ユーザが通報設定情報取得部１０を介して設定できるようにする。また、休止設定／解除部１３１は、通報設定情報取得部１０を介してユーザから休止することが設定又は解除されると、設定又は解除された休止情報を、既に登録済みのその番組の通報設定情報と関連付けて自動通報設定記憶部１２に記憶する。なお、このときの休止情報として、例えば休止の設定／解除を示す休止フラグを記憶してもよい。
【００２６】
休止期間設定部１３２は、予め自動通報設定記憶部１２に記憶された番組の通報期間内で、特定の期間や、特定月、特定日、特定曜日など一部の期間を休止期間として、通報設定情報取得部１０を介してユーザに指定させることができ、指定された休止期間の自動通報を休止させる。
【００２７】
つまり、前述した休止設定／解除部１３１は、自動通報することが登録された番組の通報期間すべてにおける番組の自動通報を休止することにより、予め設定された通報期間に関係なくその番組自体の自動通報を行わないものであるが、休止期間設定部１３２は、予め設定された通報期間の中から休止したい特定期間を指定して、指定した期間だけ自動通報を行わないものである。
【００２８】
具体的には、休止期間設定部１３２は、予め自動通報設定記憶部１２に記憶された通報番組の通報期間内で休止期間を設定するか又は設定済みの休止期間の設定を解除するかを、ユーザが通報設定情報取得部１０を介して設定できるようにする。また、休止期間設定部１３２は、通報設定情報取得部１０を介してユーザによって休止期間が設定又は解除されると、その設定又は解除された休止期間情報をその番組の通報設定情報に関連付けて自動通報設定記憶部１２に記憶する。なお、このときの休止期間情報として、例えば休止期間の設定／解除を示す休止期間フラグ及び自動通報を休止する年月日等の期間を記憶してもよい。
【００２９】
即時通報設定部１３３は、予め設定された通報設定情報の通報期間及び通報開始時刻に関係なく即座に自動通報を行うものである。つまり、上述した休止設定／解除部１３１や休止期間設定部１３２は、予め設定した通報期間における自動通報を休止するものであったが、即時通報設定部１３３は、それとは逆に、通報期間にかかわらず番組の内容をすぐに通報するものである。
【００３０】
具体的には、即時通報設定部１３３は、予め自動通報設定記憶部１２に記憶された通報設定情報の通報期間及び通報開始時刻に関係なく自動通報を即座に行うことを、ユーザが通報設定情報取得部１０を介して設定できるようにする。また、即時通報設定部１３３は、通報設定情報取得部１０を介してユーザから即時通報することが設定されると、即座にその番組の通報内容を取得し、自動通報処理部１２０によって即座に通報させる。このとき自動通報処理部１２０は、その番組の通報開始時刻に関係なく、即座に通報する回線を確保し、通報処理を行う。
【００３１】
なお、上記休止期間設定部１３２及び休止設定／解除部１３１により記憶される休止情報及び休止期間情報は、自動通報設定記憶部１２に記憶済みの通報設定情報に追加される形で関連付けられてもよいし、又は記憶されたその番組の通報設定情報をコピーしたものに追加される形で関連付けられてもよい。
【００３２】
この自動通報装置１０００の自動通報処理について、図３を参照してその処理の流れを説明する。なお、次回自動通報番組記憶部１３には、予め次に自動通報される次回通報番組が記憶されているものとする。
【００３３】
まず、通報処理制御部１１は、ステップＳ１０で、通報設定情報取得部１０を介して取得したユーザからの通報設定情報が、自動通報の新規設定であるか、又は設定済みの通報設定情報を利用したものであるか判断する。
【００３４】
通報処理制御部１１は、ステップＳ１０で新規設定であると判断したときはステップＳ１１に進み、ユーザによって入力された新規の通報設定情報を自動通報設定記憶部１２に記憶する。
【００３５】
一方、通報処理制御部１１は、ステップＳ１０で設定利用、すなわち設定済みの通報設定情報を利用したものであると判断したときは、ステップＳ１２に進み、その設定利用が即時通報であるか否かを判断する。
【００３６】
通報処理制御部１１は、ステップＳ１２でＹｅｓ、すなわち即時通報であると判断したときは、ステップＳ１６に進み、ユーザによって指定された番組について既に設定された通報設定の通報開始時刻に関係なく、即座に通報するための回線を確保し、即座にデジタル基地局２又はアナログ基地局３を介して、予め設定された通報先である子局へ自動通報を行い、本処理を終了する。
【００３７】
一方、通報処理制御部１１は、ステップＳ１２でＮｏ、すなわち即時通報でないと判断したときは、ステップＳ１３に進み、ユーザによって設定された通報設定情報を既に記憶済みの番組の通報設定情報に関連付けて自動通報設定記憶部１２に記憶する。このとき、ユーザによって設定される通報設定情報は、既に自動通報設定記憶部１２に通報設定情報が記憶された番組に関するものであり、その番組の自動通報に対する休止設定／解除又は休止期間設定である。
【００３８】
通報処理制御部１１は、ステップＳ１１及びステップＳ１３でユーザによって設定された通報設定情報を自動通報設定記憶部１２に記憶すると、ステップＳ１４に進み、次回通報番組決定処理を行う。次回通報番組決定処理は、ユーザから取得した通報設定情報に基づいて次回自動通報番組記憶部１３に記憶する次回通報番組を決定する処理である。
【００３９】
このステップＳ１４の次回通報番組決定処理について、具体的に、自動通報の新規設定がされた場合（ステップＳ１４ａ）と、設定済みの通報設定を利用して休止設定／解除が設定された場合（ステップＳ１４ｂ）と、設定済みの通報設定を利用して休止期間の設定／解除が設定された場合（ステップＳ１４ｃ）に分けて説明する。
【００４０】
まず、自動通報の新規設定がされた場合（図３のステップＳ１４ａに相当）について具体的に説明する。ステップＳ１１により自動通報の新規設定がされると、通報処理制御部１１は、次回自動通報番組記憶部１３に記憶された次回通報番組の通報開始時刻と自動通報の新規設定がされた番組の通報開始時刻の比較を行う。通報処理制御部１１は、自動通報の新規設定がされた番組の通報開始時刻が次回自動通報番組記憶部１３に記憶された番組の通報開始時刻よりも早い場合、自動通報の新規設定がされた番組を次回自動通報番組記憶部１３に記憶し、本処理を終了する。一方、通報処理制御部１１は、自動通報の新規設定がされた番組の通報開始時刻が次回自動通報番組記憶部１３に記憶された番組の通報開始時刻よりも遅い場合、次回通報番組の変更は行わずに処理を終了する。
【００４１】
次に、図４を参照して、設定済みの通報設定情報を利用して休止設定／解除が設定された場合（図３のステップＳ１４ｂに相当）について説明する。
【００４２】
通報処理制御部１１は、設定済みの通報設定情報を利用して休止設定／解除が設定されると、ステップＳ３０で、休止設定であるか休止設定の解除であるかを判断する。通報処理制御部１１は、ステップＳ３０で休止設定であると判断した場合、ステップＳ３１に進み、次回自動通報番組記憶部１３に記憶された次回通報番組と休止が指定された番組が一致しているか否かを比較する。通報処理制御部１１は、ステップＳ３１でＹｅｓ、すなわち番組が一致しているときは、ステップＳ３２に進み、自動通報設定記憶部１２から次に自動通報すべき番組（次回通報番組）を検索する。具体的には、休止フラグがなく、また休止期間が設定されているときはその設定された休止期間を除く通報期間の内、次回自動通報番組記憶部１３に記憶された番組（休止が指定された番組）の次に通報開始時刻の早い番組、すなわち、次回自動通報番組記憶部１３に記憶された番組の次に自動通報すべき番組を検索する。そして、通報処理制御部１１は、ステップＳ３３に進み、検索した番組を次回自動通報番組記憶部１３に記憶し、本処理を終える。
【００４３】
一方、通報処理制御部１１は、ステップＳ３０で休止設定が解除されたと判断したときは、ステップＳ３４に進み、次回自動通報番組記憶部１３に記憶された番組の通報開始時刻と休止の解除が指定された番組の通報開始時刻の比較を行う。ステップＳ３４でＹｅｓの場合、すなわち休止の解除が指定された番組の通報開始時刻が次回自動通報番組記憶部１３に記憶された番組の通報開始時刻よりも早い場合、ステップＳ３５に進み、通報処理制御部１１は、休止の解除が指定された番組を次回自動通報番組記憶部１３に記憶する。なお、ステップＳ３１でＮｏの場合とステップＳ３４でＮｏの場合、通報処理制御部１１は、次回通報番組の変更を行わずに本処理を終了する。
【００４４】
次に、設定済みの通報設定情報を利用して休止期間設定／解除が設定された場合（図３のステップＳ１４ｃに相当）について説明する。この処理は前述した休止設定／解除が設定された場合と同様であるので、同じく図４を参照しながら説明する。
【００４５】
通報処理制御部１１は、設定済みの通報設定情報を利用して休止期間設定／解除が設定されると、ステップＳ３０で、休止期間が有効設定されたのか休止期間設定が解除されたのかを判断する。通報処理制御部１１は、ステップＳ３０で休止期間が設定されたと判断した場合、ステップＳ３１に進み、次回自動通報番組記憶部１３に記憶された次回通報番組と休止期間が設定された番組が一致しているか否かを比較する。通報処理制御部１１は、ステップＳ３１でＹｅｓ、すなわち次回通報番組と休止期間設定番組が一致しているときは、ステップＳ３２に進み、自動通報設定記憶部１２から次に自動通報すべき番組（次回通報番組）を検索する。具体的には、休止フラグがなく、また休止期間が設定されているときはその設定された休止期間を除く通報期間の内、次回自動通報番組記憶部１３に記憶された番組（休止期間が設定された番組）の次に通報開始時刻の早い番組、すなわち、次回自動通報番組記憶部１３に記憶された番組の次に自動通報すべき番組を検索する。そして、通報処理制御部１１は、ステップＳ３３に進み、検索した番組を次回自動通報番組記憶部１３に記憶し、本処理を終える。
【００４６】
一方、通報処理制御部１１は、ステップＳ３０で休止期間設定が解除されたと判断したときは、ステップＳ３４に進み、次回自動通報番組記憶部１３に記憶された番組の通報開始時刻と休止期間の設定が解除された番組の通報開始時刻の比較を行う。ステップＳ３４でＹｅｓの場合、すなわち休止期間設定の解除が指定された番組の通報開始時刻が次回自動通報番組記憶部１３に記憶された番組の通報開始時刻よりも早い場合、ステップＳ３５に進み、通報処理制御部１１は、休止期間設定の解除が指定された番組を次回自動通報番組記憶部１３に記憶する。なお、ステップＳ３１でＮｏの場合とステップＳ３４でＮｏの場合、通報処理制御部１１は、次回通報番組の変更を行わずに本処理を終了する。
【００４７】
ここで、図３に戻り、通報処理制御部１１は、ステップＳ１５に進み、次回自動通報番組記憶部１３に記憶された番組がその通報開始時刻に子局で通報されるように、その番組の通報開始時刻よりも早く（例えば、通報開始時刻より数十秒早く）処理を開始して、子局へ自動通報する回線の確保を行い、その通報開始時刻に合わせて次回自動通報番組記憶部１３に記憶された次回通報番組の通報内容をデジタル基地局２やアナログ基地局３へ出力し、本処理を終了する。
【００４８】
このように、本実施形態の処理では、通報設定利用部１３０により設定済みの通報設定情報を利用して通報設定を行うときに、新規に設定した自動通報の通報設定情報に、休止の設定／解除に係る休止情報と休止期間の設定／解除に係る休止期間情報を関連付けて記憶しているので、新規に設定した自動通報の通報設定情報を残したまま、新たに通報設定の機能を付加することができる。また、通報設定利用部１３０により設定済みの通報設定情報を利用して通報設定を行う際に、必要に応じて次回自動通報番組記憶部１３に記憶された次回通報番組を変更しているので、急に自動通報を休止しなければならないときに迅速にその反映を行える。さらに、即時通報の処理により、自動通報の順番に関係なく即時に自動通報を行うこともできる。
【００４９】
次に、具体的に、自動通報することが既に設定された番組について、休止の設定／解除、休止期間の設定／解除及び即時通報の設定を行う操作例を説明する。図５は、自動通報することが既に設定された番組の通報設定情報を利用して休止設定等の通報設定を行う通報設定利用画面２００を表示した画面例であり、自動通報する番組一覧２１０と休止設定／解除ボタン２２０と休止期間設定ボタン２３０と即時通報ボタン２４０がある。
【００５０】
ここで、番組一覧２１０で表示する番組は、自動通報することが設定されたすべての番組を表示してもよいし、その日（当日）の番組の一覧を表示してもよい。番組一覧２１０に表示された番組を選択して、（１）「休止設定／解除ボタン２２０」、（２）「休止期間設定ボタン２３０」又は（３）「即時通報ボタン２４０」のいずれかのボタンを押下することで、設定済みの自動通報の通報設定情報を利用して、それぞれ休止設定／解除、休止期間設定／解除及び即時通報の通報設定を行える。なお、上記いずれかのボタンを押下してから番組を選択することで、その番組の自動通報の通報設定情報を利用して上記通報設定が行えるようにしてもよい。以下、各ボタンの機能について説明する。
【００５１】
（１）「休止設定／解除ボタン２２０」：
まず、休止設定／解除ボタン２２０について説明する。休止設定／解除ボタン２２０は、本実施形態の休止設定／解除部１３１に相当し、自動通報の設定を通報期間に関係なく休止するか否かを押下される毎に切り換えるボタンである。つまり、既に自動通報の登録を行った番組について、休止設定／解除ボタン２２０を押下することにより、一時的に自動通報を休止することができる。
【００５２】
番組の自動通報の休止を設定するには、番組一覧２１０の中から自動通報の休止を設定したい番組を選択し、休止設定／解除ボタン２２０を押下することで、その選択した番組の自動通報が休止される。図５では、番組名が「朝定時放送」である番組について、自動通報の休止が設定されているものとして説明する。自動通報が休止されることで、番組一覧２１０内における表示は、通常通り自動通報される番組を示す黒字から休止中を示す赤字（図中では太字で表示）へと変化するとともに、休止状態が休止中と表示される。そして、自動通報が休止された番組は、予め設定された通報期間の通報時刻となっても自動通報が行われない。
【００５３】
一方、設定した休止状態を解除するには、休止状態となっている番組、すなわち、番組一覧２１０の中から休止中と表示されている番組を選択し、「休止設定／解除ボタン２２０」を再び押下することで、選択された番組の状態が休止中から解除される。また、番組一覧２１０内における表示も、休止中の番組を示す赤字から自動通報される番組を示す黒字に変わるとともに、休止状態における休止中の表示が消える。そして、休止中の設定が解除された番組は、予め設定された本来の自動通報の通報設定情報に基づいて自動通報が行われる。
【００５４】
なお、上記した本実施形態では、番組の休止を設定する場合、登録済みの通報期間の全期間について休止するものとして説明したが、登録済みの通報期間の内、当日分だけ休止するようにしてもよい。また、全期間を休止するのか当日分だけ休止するのかユーザに確認する問い合わせ画面を表示し、ユーザに選択させてもよい。
【００５５】
（２）「休止期間設定ボタン２３０」：
休止期間設定ボタン２３０は、本実施形態の休止期間設定部１３２に相当するものであり、設定済みの通報期間内で、特定の期間や、特定月、特定日、特定曜日など一部の期間を休止期間として指定し、指定した休止期間の自動通報を休止するボタンである。具体的には、番組一覧２１０の中から休止期間を設定したい番組を選択し、休止期間設定ボタン２３０を押下すると、図６に示す休止期間設定画面３００が表示される。なお、休止期間が有効に設定された番組には、休止状態に休止期間が有効に設定されていることを示す表示を行ってもよく、図５では、番組名「臨時放送」の自動通報に休止期間が有効に設定されているものとして説明する。
【００５６】
休止期間設定画面３００には、休止期間設定ボタン２３０を押下するときに選択した番組の番組情報３１０と、その番組の休止期間一覧３２０と休止期間作成ボタン３３０と設定／解除ボタン３４０とが表示される。
【００５７】
番組情報３１０には、番組番号、番組名称、通報期間、及び通報開始時刻等が表示され、その番組の自動通報の通報設定情報を示している。この番組情報３１０に表示される番組番号、番組名称、通報期間、及び通報開始時刻は、自動通報の設定時に登録されたものであり、ユーザが改めて入力する必要はない。
【００５８】
また、休止期間一覧３２０には、番組情報３１０に表示されている番組について設定済みの休止期間の一覧が表示される。休止期間は、その番組の通報期間内において自動通報を休止する期間であり、通報期間内において一つ以上設定されてもよい。
【００５９】
休止期間を新たに作成する場合、休止期間作成ボタン３３０を押下する。休止期間作成ボタン３３０が押下されると、図７に示す休止期間作成画面４００が表示される。
【００６０】
休止期間作成画面４００では、休止期間を新たに作成できる。休止期間には、開始時期、終了時期、及び曜日等を指定できる。例えば、休止期間の開始時期として開始年月日を入力するとともに、終了時期として終了年月日を入力して作成ボタン４１０を押下した場合、ユーザによって入力された開始年月日から終了年月日までの期間が、自動通報の休止期間として設定される。
【００６１】
また、休止期間として、開始時期及び終了時期の指定だけでなく曜日を１つ以上指定してもよく、その場合、開始時期から終了時期までの間における指定された曜日について、番組の自動通報が行われない。また、開始時期及び終了時期の指定を行わず、曜日のみを１つ以上指定した場合、予め設定された通報期間の通報開始日から通報終了日までの間における指定された曜日について、番組の自動通報が行われない。
【００６２】
このようにして、休止期間が新たに作成されると、作成された休止期間は、有効に設定された休止期間として、図６に示す休止期間一覧３２０に表示される。休止期間の設定は、休止期間一覧３２０に表示される任意の休止期間を選択し、設定／解除ボタン３４０を押下することで、選択した休止期間を有効とするか有効とした設定を解除するかを切り換えることができる。有効である休止期間は、休止期間一覧３２０の中で有効を示す表示がされ、有効でない休止期間は、休止期間一覧３２０の中で有効を示す表示がされない。なお、有効である休止期間と有効でない休止期間を識別できれば、休止期間一覧３２０の中においてその表示形態を問わない。
【００６３】
そして、休止期間一覧３２０の中で有効となっている休止期間がある場合、その指定された休止期間について番組情報３１０に表示されている番組の自動通報が行われない。なお、休止期間一覧３２０の中で有効となっていない休止期間は、自動通報の設定に影響を及ぼさず、予め設定された通報期間のとおり自動通報がされる。
【００６４】
（３）「即時通報ボタン２４０」：
次に、本実施形態の即時通報設定部１３３に相当する即時通報ボタン２４０について説明する。番組の即時通報を行うには、番組一覧２１０の中から即時通報する番組を選択し、即時通報ボタン２４０を押下することで、その番組の予め設定された通報期間に関係なく、その番組の自動通報が即座に開始される。
【００６５】
このように、以上で説明した本実施形態によれば、設定済みの自動通報の通報設定情報について、新たに休止設定をしたり、休止期間を設定したり、即時通報の設定が簡単にできるので、設定済みの自動通報を何らかの理由で変更したい際に、その自動通報の通報設定情報を削除したり、修正したりすることなく、簡単に別の通報設定を行え、ユーザの手間を減らすことができる。
【００６６】
以上の本実施形態を概説すると、本実施形態の自動通報装置は、予め設定された通報設定情報に基づいて自動通報を行う自動通報装置であって、前記自動通報の前記通報設定情報を記憶する自動通報設定記憶手段と、記憶された前記通報設定情報に基づいて新たな通報設定情報を設定する通報設定利用手段を備え、前記通報設定利用手段は、記憶された前記通報設定情報に基づく前記自動通報を休止する通報休止手段を有することを特徴とする。
また、前記通報休止手段は、記憶された前記通報設定情報に基づくすべての通報期間の前記自動通報を休止する休止設定手段を備えてもよい。
また、前記通報休止手段は、記憶された前記通報設定情報の通報期間の内、所定の休止期間前記自動通報を休止する休止期間設定手段を備えてもよい。
また、前記通報設定利用手段は、記憶された前記通報設定情報に基づく前記自動通報を即座に行う即時通報手段を備えてもよい。
【００６７】
本発明は上述した実施の形態に限定されるものではなく、本発明の趣旨を逸脱しない範囲で種々様々に変更が可能であることは言うまでもない。
【符号の説明】
【００６８】
１・・・親局操作卓
２・・・デジタル基地局
３・・・アナログ基地局
４・・・デジタル屋外子局
５・・・拡声スピーカ／ハンドセット
６・・・デジタル戸別受信機
７・・・文字表示装置
８・・・アナログ屋外子局／戸別受信機
１０・・・通報設定情報取得部
１１・・・通報処理制御部
１２・・・自動通報設定記憶部
１３・・・次回自動通報番組記憶部
１１０・・新規自動通報設定部
１２０・・自動通報処理部
１３０・・通報設定利用部
１３１・・休止設定／解除部
１３２・・休止期間設定部
１３３・・即時通報設定部
２００・・通報設定利用画面
２１０・・番組一覧
２２０・・休止設定／解除ボタン
２３０・・休止期間設定ボタン
２４０・・即時通報ボタン
３００・・休止期間設定画面
３１０・・番組情報
３２０・・休止期間一覧
３３０・・休止期間作成ボタン
３４０・・設定／解除ボタン
４００・・休止期間作成画面
４１０・・作成ボタン
１０００・自動通報装置
【図１】
0005513094.tif 000002
【図２】
0005513094.tif 000003
【図３】
0005513094.tif 000004
【図４】
0005513094.tif 000005
【図５】
0005513094.tif 000006
【図６】
0005513094.tif 000007
【図７】
0005513094.tif 000008